(57)【要約】【課題】  種苗を付けた基材を水中作業により容易かつ確実に岩礁構造物に取付けできるようにする。【解決手段】  上面に複数の縦穴２を穿設してなるコンクリート製ブロック１を海底に沈設し、一方、基板１１の上面に陸上の水槽内で種苗１０を付け、この種苗１０付きの基板１１を、支柱１２の一端に接着剤により固結して一体の基材１３とする。そして、この基材１３を水中に降ろし、その支柱１２を前記ブロック１の縦穴２に差込んで各基材１３をブロック１に取付ける。【選択図】  図１
2005087119.tif 000002
【特許請求の範囲】
【請求項１】
岩礁性海藻類の種苗を付けた基材に支柱部を設け、岩礁構造物に予め穿設した縦穴に前記支柱部を差込むことにより、該基材を海底の岩礁構造物に取付けることを特徴とする藻場造成方法。
【請求項２】
基材の、岩礁性海藻類の種苗を付けた部分を支柱部から基板として独立させ、岩礁構造物に取付ける前に該基板を前記支柱部に固結することを特徴とする請求項１に記載の藻場造成方法。
【請求項３】
基板を、水中接着剤により水中で支柱部に固結することを特徴とする請求項２に記載の藻場造成方法。
【請求項４】
基材の支柱部を、岩礁構造物の縦穴に接着剤を介して差込むことを特徴とする請求項１乃至３の何れか１項に記載の藻場造成方法。
【発明の詳細な説明】
【技術分野】
【０００１】
本発明は、アカモク、ヤツマタモク等のホンダワラ類やカジメ、アラメ等のコンブ類などの岩礁性海藻類の藻場、いわゆる岩礁性藻場を人工的に造成する方法に関する。
【背景技術】
【０００２】
岩礁性藻場の造成技術は、大きく母藻の移植と人工種苗の移植とに分けられる。このうち、母藻の移植は、潮流や移植対象である岩礁の種類、形状等の影響で幼体着生数が大きく変化するため、藻場造成に成功する確率が低いという問題があり、最近では、人工種苗の移植が主流になりつつある。
【０００３】
ところで従来、人工種苗の移植による藻場造成には、主として合成繊維からなる糸（種糸）、ロープ、網などの基材に種付けして育苗した後、この種苗付きの基材をコンクリートブロック（岩礁構造物）に巻付ける方法が一般に採用されていた（非特許文献１参照）。しかるに、この種の海藻類は、短時間でも空気中に曝されることを嫌う性質があり、したがって、前記岩礁構造物に対する基材の巻付けは水中作業に頼らざるを得ないこととなる。この場合、水中作業であることから、基材を岩礁構造物に安定的に取付けることが困難になることに加え、適性な移植密度を確保することが困難になり、移植作業性並びに移植後の生育の面で問題を残すこととなる。なお、一部では、コンクリート製小ブロックに種付けをして育苗した後、この種苗付きのブロックを岩礁に取付けることを行っているが（特許文献１参照）、この方法においても、岩礁に対するブロックの取付けにかなりの困難さを伴い、前記した問題点の根本的な解決には至らない。
【０００４】
そこで最近、生分解性の不織布からなるシートに種付けして育苗した後、この種苗シートの小片を接着剤により岩礁構造物に取付ける方法が開発され、特許文献２に明らかにされている。この方法によれば、接着剤を利用するので、岩礁構造物の任意の箇所に任意の数だけ種苗シートを貼付けることができ、上記した問題点を解決できることになる。
【０００５】
【非特許文献１】エコポート（海域）技術ＷＧ、「港湾構造物と海藻草類の共生マニュアル」、港湾空間硬度化センター  港湾・海域環境研究所、平成１０年９月発行、Ｐ６４〜６８
【特許文献１】登録実用新案第３０３９１９２号公報
【特許文献２】特開２００２−２３８３８４号公報
【発明の開示】
【発明が解決しようとする課題】
【０００６】
しかしながら、上記特許文献２に記載される藻場造成方法によれば、小片（一辺約２５ｍｍの正方形）でかつ柔軟な種苗シートを水中で取扱うことにはかなりの面倒さがあり、取付作業性の改善効果が思うほど上がらない、という問題があった。また、この種の岩礁性海藻類は、一般に温度が低いほど繁殖し易いという性質があるので、寒冷期に移植を行うことが多いが、接着剤の接着能は温度が下がるほど低下する傾向にあるため、接着性の面で、いま一つ不安が残ることとなっていた。
【０００７】
本発明は、上記した技術的背景に鑑みてなされたもので、その課題とするところは、種苗を付けた基材を水中作業により容易かつ確実に岩礁構造物に取付けできるようにし、もって藻場造成の効率化に大きく寄与する藻場造成方法を提供することにある。
【課題を解決するための手段】
【０００８】
上記課題を解決するため、本発明は、岩礁性海藻類の種苗を付けた基材に支柱部を設け、岩礁構造物に予め穿設した縦穴に前記支柱部を差込むことにより、該基材を海底の岩礁構造物に取付けることを特徴とする。このように行う藻場造成方法においては、支柱部を岩礁構造物の縦穴に差込むだけで、岩礁構造物に対する基材の取付けは完了する。
【０００９】
本発明において、上記基材は、最初から支柱部を備えた構成としてもよいが、岩礁性海藻類の種苗を付けた部分を支柱部から基板として独立させ、岩礁構造物に取付ける前に該基板を前記支柱部に固結するようにしてもよい。このようにすることで、水槽内に基板のみを入れて、種付けおよび育苗することで、種苗を付けた基材を効率よく製作することができる。この場合、基板を支柱部に固結する方法は任意であるが、種苗を空気中に曝すのを回避するため、水中接着剤により水中で固結するのが望ましい。さらに、基材の支柱部を、岩礁構造物の縦穴に接着剤を介して差込むようにしてもよく、この場合は岩礁構造物に対する基材の取付けはより確実となる。
【発明の効果】
【００１０】
本発明に係る藻場造成方法によれば、支柱部を岩礁構造物の縦穴に差込むだけで、岩礁構造物に対する基材の取付けは完了するので、水中作業により藻場を効率よく造成できる。
【発明を実施するための最良の形態】
【００１１】
以下、本発明の実施の形態を添付図面に基いて説明する。
【００１２】
図１は、本発明に係る藻場造成方法の一つの実施形態を示したものである。本実施形態においては、予め用意したコンクリート製ブロック（岩礁構造物）１に、陸上作業で複数の縦穴２を穿設し、このブロック１を海底に沈設する。一方、岩礁性海藻類の種苗１０を上面に付けた基板１１と、この基板１１と一体をなす支柱（支柱部）１２とを備えた基材１３を用意し、潜水夫による水中作業で基材１３の支柱１２を前記ブロック１の各縦穴２に差込んで、種苗１０付き基材１３の複数をブロック１に取付ける。
【００１３】
上記ブロック１の形状および構造は任意であり、消波、根固め、被覆、漁礁等に汎用される既存のブロックを用いることができる。図示のブロック１は、主として根固め、被覆用として使用されているもので、中央に開口を有する正八角形の基体部３の上・下面に十字状の配置で四角錐台形状の脚部４を備えており、据付性、安定性に優れている。本実施形態においては、このブロック１を海底に据付けた際、上向きとなる基体部３の上面（４面）および各脚部４の上端面に前記縦穴２を穿設する。この縦穴２の大きさは、一例として口径３０ｍｍ程度、深さ１００ｍｍ程度となっている。また、この縦穴２を穿設する方法は任意であり、ブロック１として市販のものをそのまま用いる場合は、例えば、ハンマードリルなどを用いて削孔すればよく、ブロック１を新たに製作する場合は、成型と同時に形成すればよい。また、この縦穴２の穿設箇所は、ブロック１を海底に据付けた際、上向きになる面であれば任意であり、前記脚部４の斜面４ａに設けてもよい。
【００１４】
上記基材１３を構成する基板１１の材種は任意であり、コンクリートはもちろん、自然石、プラスチック、貝殻等を用いることができる。また、この基板１１の形状および大きさも任意であり、例えば、一辺が５０ｍｍ程度の四角形状または直径５０ｍｍ程度の円形状とすることができる。一方、支柱１２の材種としては、海中において長期的に安定でありかつある程度比重の大きい材料を選択する。このような材料としてはコンクリートがあるが、コンクリートの場合は、アルカリ成分の溶出現象があるので、事前に水中で十分にアク抜きをするのが望ましい。また、支柱１２は、上記ブロック１に穿設した縦穴２に合せてその大きさ（サイズ）が設定される。この場合、支柱１２の直径は、前記縦穴２に円滑に差込みできる範囲内でできるだけ大きくし、また、その長さは、縦穴２に差込んだ際、基板１１がブロック１の上面に接触する範囲内でできるだけ長くする。
【００１５】
本実施形態においては、上記基板１１の上面に、後述する方法により種苗１０を付けた後、該種苗１０付きの基板１１を支柱１２の一端に固結して一体の基材１３とする。この場合、前記固結の方法は任意であるが、図２に示されるように、接着剤１５による接着方式を採用することができる。ただし、岩礁性海藻類は、短時間でも空気中に曝されることを嫌う性質があるので、前記接着剤１５として水中接着剤を選択して、例えば、水槽内で接着を行うのが望ましい。
【００１６】
上記基板１１に岩礁性海藻類の種苗１０を付けるには、陸上に設置された水槽内に、前記基板１１を多数敷き並べておき、この水槽内に母藻から放出された種（卵）を放流する。すると、母藻から放出された種は、水槽内を浮遊して基板１１の上面に付着し、その後、所定期間経過することで発芽し、次第に生長する。なお、この時、基板１１に対する種の付着性を高めるため、基板１１の上面に予め微小凹凸を設けるようにしてもよい。この場合の微小凹凸の形成方法は任意であり、小穴を穿つことにより形成しても、筋状の溝を加工するにより形成してもよい。
【００１７】
藻場造成に際しては、上記した基板１１における種苗１０の生長に合せて、上記ブロック１の海底への沈設施工を終了させておく。そして、種苗１０付きの基板１１を作業船上の水槽に移し、計画造成域に搬送する。計画造成域においては、図２に示したように、前記種苗１０付きの基板１１を支柱１２の一端に、水中作業で接着剤１５を用いて接着し、接着剤１５が確実に固まるタイミングで、複数の基材１３を適当大きさの収納カゴに入れて水中に降ろす。そして、潜水夫による水中作業で、沈設を終えた各ブロック１の縦穴２に支柱１２を差込んで、基材１３を１個ずつブロック１に取付け、この作業を繰返して計画造成域内の全てのブロック１に対する基材１３の取付けを終える。なお、基材１３をブロック１に取付けるに際しては、基材１３の支柱１２またはブロック１の縦穴２に接着剤を予め付着させてもよく、これによりブロック１に対して基材１３をより確実に固定することができる。
【００１８】
上記のごとくブロック１に取付けられた基板１１上の種苗１０は、その根を次第に拡張させ、所定期間経過すると、基板１１を乗り越えて周辺のブロック１の表面に着生する。その後は、期間の経過とともに生長を続け、これにより岩礁性海藻類の繁茂する藻場が完成する。しかして、幾何学的形状をなすブロック１に対して規則性をもって縦穴２を穿設しているので、種苗１０の移植密度は適性になり、この結果、岩礁性海藻類の生育も順調となって、藻場造成に成功する確率は著しく向上する。
【００１９】
なお、上記実施形態においては、基材１３を、種苗１０を付けた基板１１と支柱１２とから構成して、両者を固結して一体化するようにしたが、この基材１３は、基板１１に相当する部分と支柱１２に相当する部分（支柱部）とを、最初から一体物とした構成としてもよいものある。ただし、この場合は、柱状部を予め有する基材に種苗１０を付ける必要があるので、より大きな水槽が必要になる。
【００２０】
また、上記実施形態においては、新規のコンクリート製ブロック１を対象に基材１３を取付けるようにしたが、本発明が対象とする岩礁構造物の種類は任意であり、陸上で採取した自然石、海中に既設のブロックや自然石、あるいは海底に存在する自然岩礁であってもよい。陸上で採取した自然石を対象にする場合は、陸上において、例えばハンマードリルを用いて必要数の縦穴を穿設し、また、海中のブロックや自然石あるいは岩礁を対象にする場合は、水中作業で同様のハンマードリルを用いて必要数の縦穴を穿設する。
【図面の簡単な説明】
【００２１】
【図１】本発明の一つの実施形態としての藻場造成方法を示す斜視図である。
【図２】本藻場造成方法で用いる基材の組立構造を示す斜視図である。
【符号の説明】
【００２２】
１    コンクリート製ブロック
２    縦穴
１０  種苗
１１  基板
１２  支柱（支柱部）
１５  接着剤
【図１】
2005087119.tif 000003
【図２】
2005087119.tif 000004